(57)【特許請求の範囲】
【請求項１】
外周にコネクタ接続用の外ネジが形成された短管状部(1a)を有し、その短管状部(1a)の軸方向一端外周にフランジ部(1b)が一体に突設され、そのフランジ部(1b)の一端面がオイルクーラ本体(2) のオイル出入口の孔縁部に液密に接合されたボス部(1) と、
前記短管状部(1a)の軸方向中間部外周にわずかに突設された板バネ係止用の鍔部(1c)と、
縦断面が逆Ｕ字状に曲折された弾性金属板よりなり、その逆Ｕ字状の頂部から中央部に前記短管状部(1a)の直径より大なる開口からなる逆Ｕ字状欠切部(3a)が形成され、その逆Ｕ字状折返し曲折部の根本部の一方の平面に、抜け止め用の段差部(3b)が他方の平面の側へ凹陥して形成された板バネ(3) と、
を具備し、前記短管状部(1a)が樹脂製タンク本体(4) のボス部挿通孔(4a)に挿通されると共に、前記フランジ部(1b)の他端面がその挿通孔(4a)の孔縁部にシール用のＯリング(5) を介して圧接され、前記短管状部(1a)にその半径方向から前記板バネ(3) の前記逆Ｕ字状欠切部(3a)が嵌入されて、その板バネ(3) の両脚部外面が前記タンク本体(4) の外面と前記鍔部(1c)とに圧接挟持されると共に、前記ボス部(1) の前記鍔部(1c)の縁が前記板バネ(3) の前記段差部(3b)よりも前記脚部の先端側に位置したタンク内蔵型オイルクーラの取付け構造。
【発明の詳細な説明】
【０００１】
【発明の属する技術分野】
本発明は主として自動車用ラジエータのタンクに内蔵されると共に、そのタンク壁面に取付けられる自動車用オイルクーラの取付け構造に関する。
【０００２】
【従来の技術】
この種のオイルクーラは一例として図４の如く、図示しない自動車用ラジエータの下部側の樹脂製タンク本体４に内装されると共に、その樹脂製タンク本体４の壁面にそれが取付け固定されるものである。この例におけるオイルクーラ本体２は二重筒体からなり、その二重の筒体間の両端面が閉塞され、それらの間に被冷却用オイルを流通させると共に、その内外周面に冷却水を流通させるものである。即ち、このオイルクーラ本体２の二重筒体間の一端から他端にオイルが流通し、それと冷却水との間に熱交換が行われるものである。なお、その冷却水は図示しない上部タンクからチューブ10を通り下部側の樹脂製タンク本体４に流入し、図示しない出口管よりエンジンに還流するものである。また、この樹脂製タンク本体４は軽量化その他のため、合成樹脂材料で成形される。
【０００３】
そして、オイルクーラ本体２は図６に示す如くオイルの出入り口に突設されたボス部１を介して樹脂製タンク本体４に締結固定される。このボス部１は、短管状部１ａとその基部に設けられたフランジ部１ｂとを有し、フランジ部１ｂの短管状部１ａ側端面に環状溝を有し、そこにシール用のＯリング５が嵌着される。そして、オイルクーラ本体２を樹脂製タンク本体４に挿入し、その内面側からボス部１の短管状部１ａを樹脂製タンク本体４の取付け孔内に挿入する。そして、ワッシャ６およびナット８を介してオイルクーラ本体２を樹脂製タンク本体４に締結固定するものである。このとき、Ｏリング５が樹脂製タンク本体４の開口とボス部１との間を液密に形成する。
次に、図５はナット８のかわりに図６に示す皿バネ７を用いてオイルクーラ本体２を樹脂製タンク本体４に締結固定したものであり、実公昭６３ー４１５３７号として本出願人自身が既に提案している。このオイルクーラの取付け構造は、皿バネ７を短管状部１ａの軸方向先端から挿入し、その端面をワッシャ６に押圧するものである。
【０００４】
【発明が解決しようとする課題】
図４に示す締結構造は、ナット８を短管状部１ａの先端から螺着回転するため、取付けが面倒である欠点があった。これに対して、図５に示す締結構造は皿バネ７を短管状部１ａの先端から挿入して、その先端が突き当たるまで圧入すれば足りる。したがって、その取付け自体は比較的容易であるが、皿バネ７のバネ圧を常に一定にすることが難しい欠点がある。すなわち、皿バネ７の基端面がワッシャ６に接触したとき、皿バネ７の爪部が短管状部１ａの外ネジに係止されるものであるが、その係止の仕方が必ずしも一様でない。そのため、皿バネ７による締結力にばらつきが生じる虞がある。
そこで、本発明は取付けが容易で且つ、その締結力を常に一定とし得る安定性の高いオイルクーラの取付け構造を提供することを課題とし、その課題解決のため次の構成をとる。
【０００５】
【課題を解決するための手段】
本発明は、外周にコネクタ接続用の外ネジが形成された短管状部(1a)を有し、その短管状部(1a)の軸方向一端外周にフランジ部(1b)が一体に突設され、そのフランジ部(1b)の一端面がオイルクーラ本体(2) のオイル出入口の孔縁部に液密に接合されたボス部(1) と、  前記短管状部(1a)の軸方向中間部外周にわずかに突設された板バネ係止用の鍔部(1c)と、
縦断面が逆Ｕ字状に曲折された弾性金属板よりなり、その逆Ｕ字状の頂部から中央部に前記短管状部(1a)の直径より大なる開口からなる逆Ｕ字状欠切部(3a)が形成され、その逆Ｕ字状折返し曲折部の根本部の一方の平面に、抜け止め用の段差部(3b)が他方の平面の側へ凹陥して形成された板バネ(3) と、
を具備し、前記短管状部(1a)が樹脂製タンク本体(4) のボス部挿通孔(4a)に挿通されると共に、前記フランジ部(1b)の他端面がその挿通孔(4a)の孔縁部にシール用のＯリング(5) を介して圧接され、前記短管状部(1a)にその半径方向から前記板バネ(3) の前記逆Ｕ字状欠切部(3a)が嵌入されて、その板バネ(3) の両脚部外面が前記タンク本体(4) の外面と前記鍔部(1c)とに圧接挟持されると共に、前記ボス部(1) の前記鍔部(1c)の縁が前記板バネ(3) の前記段差部(3b)よりも前記脚部の先端側に位置したタンク内蔵型オイルクーラの取付け構造である。
【０００６】
【発明の実施の形態】
次に、図面に基づいて本発明の実施の形態につき説明する。
図１は本オイルクーラの取付け構造の分解斜視図であり、図２はその板バネ３の斜視図、図３は同取付け構造の縦断面図である。
この例のオイルクーラ本体２は、前記従来型のそれと同様に二重管型のものであり、その長手方向両端部外面に図示しないオイルクーラの出入口が設けられ、その出入口の開口に一対のボス部１が液密にろう付けまたはハンダ付け固定されたものである。このボス部１は、短管状部１ａとその基部に設けたフランジ部１ｂとからなり、フランジ部１ｂの短管状部１ａ側端面にはＯリング嵌着用の環状溝が形成されている。そして、短管状部１ａは図１および図３に示す如くそのフランジ部１ｂ寄りの中間部にわずかに鍔部１ｃが突設されている。そして、鍔部１ｃより先端側の短管状部１ａ外周に外ネジが形成されたものである。
【０００７】
次に、板バネ３はバネ鋼を逆Ｕ字状に曲折すると共に、その曲折部の頂部から中間部にかけて、逆Ｕ字状欠切部３ａが形成され且つ、折り曲げ部の根元に受け止め用の段差部３ｂが設けられたものである。
そして、図１および図３に示す如く、オイルクーラ本体２が樹脂製タンク本体４内に挿入され、そのボス部１が樹脂製タンク本体４のボス部挿通孔４ａに貫通される。このとき、フランジ部１ｂの環状溝にはＯリング５が嵌入される。そして、短管状部１ａの先端側からワッシャ６が挿通され、次いで板バネ３の両脚部を閉じた状態で、その逆Ｕ字状欠切部３ａが鍔部１ｃとワッシャ６との間に嵌入される。次いで、図３の如く板バネ３を自由状態に開放すると、板バネ３の両脚部外面が樹脂製タンク本体４の外面と鍔部１ｃとに圧接挟持され、その弾発力によりオイルクーラ本体２は樹脂製タンク本体４の外面側に押圧される。すると、Ｏリング５の存在により、ボス部１と樹脂製タンク本体４のボス部挿通孔４ａとの間が液密に形成される。なお、ボス部１の短管状部１ａには図示しないオイルパイプ先端がコネクタを介して螺着締結される。
【０００８】
【発明の作用・効果】
本発明のタンク内蔵型オイルクーラの取付け構造は、ボス部１の短管状部１ａにその半径方向から板バネ３の逆Ｕ字状欠切部３ａが嵌入されて、板バネ３の両脚部外面が樹脂製タンク本体４の外面と鍔部１ｃとに圧接挟持される。それにより、オイルクーラ本体２と樹脂製タンク本体４とをいわゆるワンタッチで締結し得る。しかも、ボス部１の鍔部１ｃと樹脂製タンク本体４外表面との間隔は一定であるから、板バネ３の締結力を一定に保持し、その締結の信頼性を高める。そして、板バネ３の弾発力によりオイルクーラ本体２と樹脂製タンク本体４との液密性を保持する。
しかも、板バネ(3) に抜け止め用の段差部(3b)が凹陥して形成され、その板バネ(3) の両脚部外面が前記タンク本体(4) の外面と前記鍔部(1c)とに圧接挟持されると共に、前記ボス部(1) の前記鍔部(1c)の縁が前記板バネ(3) の前記段差部(3b)よりも前記脚部の先端側に位置しているから、板バネの弾発力が強く且つ、板バネに外力が加わっても、不用意にそれが外れて、タンク内部のオイルが漏れだすおそれがない。そして、取付け易く構造の簡単なオイルクーラの取付け構造を構成できる。
【図面の簡単な説明】
【図１】本発明のタンク内蔵型オイルクーラの取付け構造の分解斜視図。
【図２】図１における板バネ３の斜視図。
【図３】同取付け構造の縦断面図。
【図４】従来型オイルクーラの取付け構造の縦断面図。
【図５】従来型オイルクーラの取付け構造の他の例を示す縦断面図。
【図６】同取付け構造に用いられる皿バネ７の斜視図。
【符号の説明】
１  ボス部
１ａ  短管状部
１ｂ  フランジ部
１ｃ  鍔部
２  オイルクーラ本体
３  板バネ
３ａ  逆Ｕ字状欠切部
３ｂ  段差部
４  樹脂製タンク本体
４ａ  ボス部挿通孔
５  Ｏリング
６  ワッシャ
７  皿バネ
８  ナット
９  チューブプレート
10  チューブ
【図１】
0003806824.tif 000002
【図２】
0003806824.tif 000003
【図３】
0003806824.tif 000004
【図４】
0003806824.tif 000005
【図５】
0003806824.tif 000006
【図６】
0003806824.tif 000007